(57)【要約】      （修正有）【課題】  使い残ったグリップテープを収容して保管することが可能であり、長期間の保管によってもグリップテープの汚れや端末止めテープの紛失等の不都合が生じず、見栄えが良く嵩張らないためにラケット等と共に携帯するにも適しているグリップテープ収納容器を提供する。【解決手段】  有底筒状で上部が開放された容器本体2と、該容器本体の開放上部を覆う蓋体3とからなり、これら容器本体と蓋体の間に形成される内部空間に、グリップテープ及び端末止めテープを収容するように構成されたグリップテープ収納容器であって、前記容器本体内には、小径の環状壁4と大径の環状壁5が同心円状に突設され、これら２つの環状壁の間がロール状に巻回されたグリップテープの収容空間とされ、小径の環状壁と容器本体の周壁内面との間が端末止めテープの収容空間とされている。【選択図】  図１９
2007039099.tif 000002
【特許請求の範囲】
【請求項１】
有底筒状で上部が開放された容器本体と、該容器本体の開放上部を覆う蓋体とからなり、
これら容器本体と蓋体の間に形成される内部空間に、グリップテープ及び端末止めテープを収容するように構成されたグリップテープ収納容器であって、
前記容器本体内には、小径の環状壁と大径の環状壁が同心円状に突設され、
これら２つの環状壁の間がロール状に巻回されたグリップテープの収容空間とされ、小径の環状壁と容器本体の周壁内面との間が端末止めテープの収容空間とされている
ことを特徴とするグリップテープ収納容器。
【請求項２】
前記容器本体と蓋体は、外周の一部分に設けられた枢着部を介して開閉可能とされるとともに、該枢着部と容器中心を挟んで対向する他の部分に設けられた係止部を介して係脱可能とされていることを特徴とする請求項１記載のグリップテープ収納容器。
【請求項３】
前記蓋体には、内面に向けて突出する複数の突出部が、周壁に沿って間隔をあけて設けられていることを特徴とする請求項１又は２記載のグリップテープ収納容器。
【請求項４】
前記突出部は、周壁外面においては凹んでいることを特徴とする請求項３記載のグリップテープ収納容器。
【請求項５】
前記容器本体の周壁内面と前記大径の環状壁とを繋ぐ複数のリブが周壁内面に沿って間隔をあけて設けられており、該複数のリブのうち、前記枢着部に近い側の両端に位置する２つの端部リブはその他のリブよりも高く形成され、該２つの端部リブに挟まれた空間が端末止めテープの収容空間とされていることを特徴とする請求項１乃至４いずれかに記載のグリップテープ収納容器。
【請求項６】
前記容器本体及び蓋体が透明であることを特徴とする請求項１乃至５いずれかに記載のグリップテープ収納容器。
【発明の詳細な説明】
【技術分野】
【０００１】
本発明は、テニスやバドミントン等のラケットのグリップに巻回されるグリップテープを収納するための容器に関する。
【背景技術】
【０００２】
一般的に、テニスやバドミントン等のラケットのグリップには、滑り止めや衝撃吸収等を目的として、グリップテープが巻き付けられている。
このようなグリップテープは、一定期間使用して古くなった場合に交換する必要があることや、使用者によって巻き方に好みや個人差があることから、巻回した状態で商品として販売されている（例えば、特許文献１参照）。
【０００３】
現在、市販されているグリップテープは、図２２及び図２３に示すような包装形態のものが一般的である。
これら従来の包装形態では、台紙（Ａ）の表面に、合成樹脂板からなるブリスター（Ｂ）を貼着し、該ブリスターと台紙との間に形成された空間に、グリップテープ（Ｃ）を収容したものである。
【０００４】
グリップテープは３本を１組として販売されているのが一般的であり、図２２に示す形態では、３本のグリップテープ（Ｃ）が１つのロールを形成するように連続して巻回されて収容されている。そして、グリップテープの巻き終わり部分を止めるための端末止めテープ（Ｄ）は、グリップテープの外周面に沿って収容されている。
一方、図２３に示す形態では、３本のグリップテープ（Ｃ）は夫々扁平な帯状に巻かれている。そして、端末止めテープ（Ｄ）は、帯状に巻かれた各グリップテープを束ねるように巻かれている。
【０００５】
上記したような従来の包装形態からなるグリップテープを使用する場合、台紙（Ａ）からブリスター（Ｂ）を剥がして取り外すことにより、グリップテープ（Ｃ）を取り出している。
しかしながら、一旦グリップテープが取り出された包装は、ブリスターが台紙から剥がれてしまっているため、再度グリップテープを収容することができない。
そのため、例えば、３本のグリップテープのうち１本のみを使用した場合には、残りの２本は裸の状態で保管しなければならず、長期間保管していると、テープが汚れてしまったり、紛失してしまったりする場合があった。特に、端末止めテープは、グリップテープに比べて細くて短いために紛失し易かった。
【０００６】
尚、ブリスターを台紙から完全に剥がさずにグリップテープを取り出すことによって、図２２や図２３に示すような市販の包装形態をそのままグリップテープを収容保管するためのケースとして用いる場合もある。
しかしながら、市販の包装形態をそのまま使用すると、見栄えが非常に悪く、しかも嵩張るために携帯性も悪いという問題があった。また、台紙とブリスターの隙間から端末止めテープが落下して紛失してしまうおそれもあった。
【０００７】
【特許文献１】実公平７−４１４８１号公報
【発明の開示】
【発明が解決しようとする課題】
【０００８】
本発明は、上記したような従来技術が抱える課題を解決すべくなされたものであって、使い残ったグリップテープを収容して保管することが可能であり、長期間の保管によってもグリップテープの汚れや端末止めテープの紛失等の不都合が生じることがなく、しかも見栄えが良く嵩張らないためにラケット等と共に携帯するにも適しているグリップテープ収納容器を提供せんとするものである。
【課題を解決するための手段】
【０００９】
請求項１に係る発明は、有底筒状で上部が開放された容器本体と、該容器本体の開放上部を覆う蓋体とからなり、これら容器本体と蓋体の間に形成される内部空間に、グリップテープ及び端末止めテープを収容するように構成されたグリップテープ収納容器であって、前記容器本体内には、小径の環状壁と大径の環状壁が同心円状に突設され、これら２つの環状壁の間がロール状に巻回されたグリップテープの収容空間とされ、小径の環状壁と容器本体の周壁内面との間が端末止めテープの収容空間とされていることを特徴とするグリップテープ収納容器に関する。
【００１０】
請求項２に係る発明は、前記容器本体と蓋体は、外周の一部分に設けられた枢着部を介して開閉可能とされるとともに、該枢着部と容器中心を挟んで対向する他の部分に設けられた係止部を介して係脱可能とされていることを特徴とする請求項１記載のグリップテープ収納容器に関する。
【００１１】
請求項３に係る発明は、前記蓋体には、内面に向けて突出する複数の突出部が、周壁に沿って間隔をあけて設けられていることを特徴とする請求項１又は２記載のグリップテープ収納容器に関する。
【００１２】
請求項４に係る発明は、前記突出部は、周壁外面においては凹んでいることを特徴とする請求項３記載のグリップテープ収納容器に関する。
【００１３】
請求項５に係る発明は、前記容器本体の周壁内面と前記大径の環状壁とを繋ぐ複数のリブが周壁内面に沿って間隔をあけて設けられており、該複数のリブのうち、前記枢着部に近い側の両端に位置する２つの端部リブはその他のリブよりも高く形成され、該２つの端部リブに挟まれた空間が端末止めテープの収容空間とされていることを特徴とする請求項１乃至４いずれかに記載のグリップテープ収納容器に関する。
【００１４】
請求項６に係る発明は、前記容器本体及び蓋体が透明であることを特徴とする請求項１乃至５いずれかに記載のグリップテープ収納容器に関する。
【発明の効果】
【００１５】
請求項１に係る発明によれば、使い残ったグリップテープを容器本体と蓋体との間に形成される内部空間に収容することによって、長期間の保管によってもグリップテープの汚れや端末止めテープの紛失等の不都合が生じることがない。
また、従来の市販されている包装形態をそのままケースとして使用して保管する場合に比べると、見栄えが非常に良く、しかも嵩張らないためにラケット等と共に携帯するにも適している。
しかも、グリップテープと端末止めテープとを別々の空間に収容することができるため、グリップテープを取り出す際に端末止めテープを落として紛失したり、乱雑に収容することによって端末止めテープが折れ曲がったりすることがない。
更に、本発明の収納容器内のグリップテープを使い切った後は、市販のブリスターパックに収容されたグリップテープを購入して本発明の容器へと入れ替えることが可能であり、容器を一度購入すれば何度も再利用することができるため、非常に経済的である。また、当初入っていた色とは異なる色のグリップテープを購入して収容することもできるため、便利で使い勝手がよい。
【００１６】
請求項２に係る発明によれば、容器本体と蓋体とを簡単に大きく開閉することができるため、収納や取出しを容易に行うことができるとともに、不用意に開くことがないため、テープを落としたりすることによって紛失が生じることもない。
【００１７】
請求項３に係る発明によれば、内面に設けられた複数の突出部によって、蓋体の強度を向上させることができ、蓋体を薄く形成して嵩張らないようにすることが可能となる。
【００１８】
請求項４に係る発明によれば、周壁外面の凹みが、容器を把持した際に滑り止めの効果を発揮するようになるため、運動後にかいた汗等で滑って容器を落として破損させる危険性を大幅に低下させることができる。
【００１９】
請求項５に係る発明によれば、容器本体の周壁内面に設けられたリブによって容器本体の強度が大幅に向上するとともに、２つの端部リブの間に端末止めテープを安定して位置決めした状態で収容することができる。
【００２０】
請求項６に係る発明によれば、内部に収容されているテープの色を外部から識別することができ、テープの残り具合を外部から視認することも可能となる。更には、意匠性が高くなるので、見栄えが非常に優れたものとなる。
【発明を実施するための最良の形態】
【００２１】
以下、本発明に係るグリップテープ収納容器の好適な実施形態について、図面を参照しつつ説明する。
図１乃至図７は本発明に係るグリップテープ収納容器を示す図であって、図１は平面図、図２は裏面図、図３は正面図、図４は背面図、図５は右側面図、図６はＡ−Ａ線断面図、図７はＢ−Ｂ線断面（端面）図である。尚、左側面図は右側面図と対称に表れる。
【００２２】
本発明に係るグリップテープ収納容器（１）は、有底円筒状で上部が開放された容器本体（２）と、該容器本体の開放上部を覆う蓋体（３）とから構成されており、これら容器本体（２）と蓋体（３）の間に形成される内部空間に、グリップテープ及び端末止めテープを収容することができるものである。
【００２３】
図８乃至図１１は容器本体（２）を示す図であって、図８は正面図（内面図）、図９はＡ−Ａ線断面図、図１０は平面図、図１１は背面図（外面図）、図１２はＢ−Ｂ断面図、図１３はＣ−Ｃ断面図である。
容器本体（２）は、正面視の外形が略円形であって、円形を形成する周壁の一部分において、蓋体（３）との枢着部が形成された直線部分が形成されている。
容器本体（２）内には、小径の環状壁（４）と大径の環状壁（５）が同心円状に突設されている。
【００２４】
小径の環状壁（４）は、容器本体（２）の略中心部に円筒状に突設されている。
この小径の環状壁（４）の外径は、ロール状に巻回されたグリップテープの巻芯内径よりも僅かに小さい径とされ、その高さは巻回されたグリップテープの高さ（テープ幅）よりも僅かに高くなっている。
【００２５】
大径の環状壁（５）は、小径の環状壁（４）と同心円状に且つ容器本体（２）の周壁内面の近傍位置に設けられている。
この大径の環状壁（５）の外径は、ロール状に巻回されたグリップテープの外径よりも僅かに大きい径とされ、その高さは、巻回されたグリップテープの高さ（テープ幅）よりも低く且つ端末止めテープの幅よりも高くなっている。
【００２６】
上記した小径の環状壁（４）と大径の環状壁（５）の間に形成される空間（６）は、ロール状に巻回されたグリップテープ用の収容空間となり、小径の環状壁（４）と容器本体（２）の周壁内面との間に形成される空間（７）は、端末止めテープ用の収容空間となる。
【００２７】
グリップテープと端末止めテープを同じ空間に一緒に収容した場合には、グリップテープを取り出す際に端末止めテープを落として紛失したり、乱雑に収容することによって端末止めテープが折れ曲がったりするおそれがあるが、本発明に係る収納容器では、グリップテープ用の収容空間と端末止めテープ用の収容空間とを別々の区画に分けて設けることによって、このような不都合が生じることがない。
【００２８】
容器本体（２）には、その周壁内面と大径の環状壁（５）とを繋ぐ複数（図示例では８つ）のリブ（８）が周壁内面に沿って等間隔をあけて設けられている。
これら複数のリブ（８）のうち、容器本体（２）と蓋体（３）とを連結する枢着部（図８中の下方部）に近い側の両端に位置する２つの端部リブ（８ａ）は、その他のリブ（８ｂ）よりも高く形成されている。
【００２９】
２つの端部リブ（８ａ）は、容器本体の周壁（９）と略同じ高さに形成されており（図１２参照）、その他のリブ（８ｂ）は、容器本体の周壁（９）よりも低く形成されている（図１３参照）。
そして、２つの端部リブ（８ａ）に挟まれた円弧状の空間が端末止めテープの収容空間（７）となり、その他のリブ（８ｂ）の上方に端末止めテープが収容される。
【００３０】
本発明においては、上記したように容器本体（２）の周壁内面に設けられた複数のリブ（８）によって容器本体の強度を大幅に向上させることができる。
また、複数のリブのうち、両端に位置するリブ（８ａ）のみを高くしてその他のリブ（８ｂ）の高さを低くしたことにより、リブの存在によって強度の向上を図りながら、リブ（８ｂ）の上に端末止めテープを収容できる空間を造り出すことができる。
そして、２つの端部リブ（８ａ）の間に端末止めテープを収容することで、端末止めテープの位置がほぼ固定されて安定し、容器内で大きく移動して枢着部に挟まれたりすることが防がれる。
【００３１】
図１４乃至図１８は蓋体（３）を示す図であって、図１４は正面図（外面図）、図１５は背面図（内面図）、図１６はＡ−Ａ線断面図、図１７はＢ−Ｂ線断面図、図１８はＣ−Ｃ断面図である。
蓋体（３）は、正面視の外形が容器本体（２）と略同じく略円形であって、円形を形成する周壁の一部分において、容器本体（２）との枢着部が形成された直線部分が形成されている。
【００３２】
蓋体（３）には、内面に向けて突出する複数（図示例では８つ）の突出部（１０）が、周壁（１１）に沿って等間隔をあけて設けられている。
これら複数の突出部（１０）は、図示の如く、正面視半円形状をなしており、周壁（１１）の内面においては突出する一方で、周壁外面においては凹んでいる。
【００３３】
これらの突出部（１０）は、蓋体の強度を向上させて、蓋体を薄く形成して嵩張らないようにすることを可能とするとともに、周壁外面において凹んでいることにより、容器を把持した際の滑り止めの効果を発揮する。
【００３４】
上記した容器本体（２）と蓋体（３）は、外周の一部分（直線部分）に設けられた枢着部（１２）を介して開閉可能とされている。
枢着部（１２）は、容器本体（２）においては、２本の平行に形成された溝（１２ａ）と、これら両方の溝の内側面に対向するように形成された突出部（１２ｂ）とから構成されており、蓋体（３）においては、２本の平行に形成された突出片（１２ｃ）と、これら両方の突出片の外側面に形成された凹部（１２ｄ）とから構成されている。
そして、蓋体の突出片（１２ｃ）を容器本体の溝（１２ａ）に挿入し、突出部（１２ｂ）を凹部（１２ｄ）に嵌入させることによって、容器本体（２）と蓋体（３）とが枢着部を支点として回動可能に枢着されることとなる。
【００３５】
また、容器本体（２）と蓋体（３）は、枢着部（１２）と容器中心を挟んで対向する他の部分に設けられた係止部（１３）を介して係脱可能とされている。
係止部（１３）は、容器本体（２）においては、容器本体の周壁外面に設けられた突出部（１３ａ）からなり、蓋体（３）においては、容器本体の周壁内面に設けられた凹部（１３ｂ）からなる。
そして、容器本体の突出部（１３ａ）と蓋体の凹部（１３ｂ）を係合させることによって、容器本体（２）と蓋体（３）とが係止固定される。
【００３６】
上記したように枢着部を介して容器本体と蓋体とを連結することによって、図１９に示すように、容器本体（２）に対して蓋体（３）を簡単に大きく開閉することができるようになり、収納や取出しを容易に行うことが可能となる。しかも、係止部によって容器本体と蓋体とを係止することができるため、容器が不用意に開くことがなく、テープの落下による紛失が生じにくい。
【００３７】
本発明において、容器本体及び蓋体を構成する材料は特に限定されず、金属、合成樹脂、木、紙等の任意の素材を用いることが可能であるが、強度、軽量性、製造コスト等のバランスの観点からポリスチレン等の合成樹脂を用いて形成することが好ましい。
【００３８】
また、本発明においては、容器本体及び蓋体共に、全体を透明とすることが好ましい。
これは、内部に収容されているテープの色を外部から識別したり、テープの残り具合を外部から確認したりすることが可能になるとともに、意匠性が高く、見栄えが非常に優れたものとなるためである。但し、不透明とすることも可能である。
【００３９】
図２０及び図２１は、本発明に係るグリップテープ収納容器（１）にグリップテープ（１４）及び端末止めテープ（１５）を収容した状態を示す図であって、図２０は外観斜視図、図２１は断面図である。
図示のように、本発明に係るグリップテープ収納容器によれば、グリップテープ及び端末止めテープを別々の空間に分けて収容することができ、取り出す際には意図に反して両者が一緒に取り出されることがなく、取り出したいテープのみを区別して取り出すことができる。
【産業上の利用可能性】
【００４０】
本発明は、テニスやバドミントン等のラケットのグリップに巻回されるグリップテープを収容するために用いられ、見栄えが良くて嵩張らないため携帯用の容器としても好適に利用できる。
【図面の簡単な説明】
【００４１】
【図１】本発明に係るグリップテープ収納容器の平面図である。
【図２】本発明に係るグリップテープ収納容器の裏面図である。
【図３】本発明に係るグリップテープ収納容器の正面図である。
【図４】本発明に係るグリップテープ収納容器の背面図である。
【図５】本発明に係るグリップテープ収納容器の右側面図である。
【図６】本発明に係るグリップテープ収納容器のＡ−Ａ線断面図である。
【図７】本発明に係るグリップテープ収納容器のＢ−Ｂ線断面（端面）図である。
【図８】本発明に係るグリップテープ収納容器の容器本体の正面図（内面図）である。
【図９】本発明に係るグリップテープ収納容器の容器本体のＡ−Ａ線断面図である。
【図１０】本発明に係るグリップテープ収納容器の容器本体の平面図である。
【図１１】本発明に係るグリップテープ収納容器の容器本体の背面図（外面図）である。
【図１２】本発明に係るグリップテープ収納容器の容器本体のＢ−Ｂ断面図である。
【図１３】本発明に係るグリップテープ収納容器の容器本体のＣ−Ｃ断面図である。
【図１４】本発明に係るグリップテープ収納容器の蓋体の正面図（外面図）である。
【図１５】本発明に係るグリップテープ収納容器の蓋体の背面図（内面図）である。
【図１６】本発明に係るグリップテープ収納容器の蓋体のＡ−Ａ線断面図である。
【図１７】本発明に係るグリップテープ収納容器の蓋体のＢ−Ｂ線断面図である。
【図１８】本発明に係るグリップテープ収納容器の蓋体のＣ−Ｃ線断面図である。
【図１９】本発明に係るグリップテープ収納容器を開いた状態を示す外観斜視図である。
【図２０】本発明に係るグリップテープ収納容器にグリップテープ及び端末止めテープを収容した状態を示す外観斜視図である。
【図２１】本発明に係るグリップテープ収納容器にグリップテープ及び端末止めテープを収容した状態を示す断面図である。
【図２２】従来のグリップテープの包装形態の一例を示す図である。
【図２３】従来のグリップテープの包装形態の一例を示す図である。
【符号の説明】
【００４２】
１      グリップテープ収納容器
２      容器本体
３      蓋体
４      小径の環状壁
５      大径の環状壁
６      グリップテープ用の収容空間
７      端末止めテープ用の収容空間
８      リブ
８ａ    端部リブ
８ｂ    その他のリブ
９      容器本体の周壁
１０    突出部
１１    蓋体の周壁
１２    枢着部
１３    係止部
１４    グリップテープ
１５    端末止めテープ
【図１】
2007039099.tif 000003
【図２】
2007039099.tif 000004
【図３】
2007039099.tif 000005
【図４】
2007039099.tif 000006
【図５】
2007039099.tif 000007
【図６】
2007039099.tif 000008
【図７】
2007039099.tif 000009
【図８】
2007039099.tif 000010
【図９】
2007039099.tif 000011
【図１０】
2007039099.tif 000012
【図１１】
2007039099.tif 000013
【図１２】
2007039099.tif 000014
【図１３】
2007039099.tif 000015
【図１４】
2007039099.tif 000016
【図１５】
2007039099.tif 000017
【図１６】
2007039099.tif 000018
【図１７】
2007039099.tif 000019
【図１８】
2007039099.tif 000020
【図１９】
2007039099.tif 000021
【図２０】
2007039099.tif 000022
【図２１】
2007039099.tif 000023
【図２２】
2007039099.tif 000024
【図２３】
2007039099.tif 000025